(57)【要約】【課題】高い天井の舞台空間を必要とすることなく、天井の低い舞台に対しても、上昇させた舞台幕を客席から目障りになることなく舞台の上方空間に収納することができ、かつ、舞台幕を二つ折りするための吊り手段の昇降時に吊り手段が滑車等から外れるといった不具合を生じることのないようにした舞台幕折上げ昇降装置を提供することにある。【解決手段】折畳み自在な舞台幕２の上下端部をそれぞれの吊り手段５，６によって吊下げるとともに、各吊り手段５，６を吊下げ支持する各支持部材８を、天井側の同一の高さ位置またはほぼ同じ位の高さ位置に設け、舞台幕２をほぼ２等分して天井側に上げることができるようにした。【選択図】  図１
2006149717.tif 000002
【特許請求の範囲】
【請求項１】
折畳み自在な舞台幕と、舞台幕の上端部に沿って設けた上部杆と、舞台幕の下端部に沿って設けた下部杆と、上部杆を介して舞台幕の上部を吊下げる複数の上部吊り手段と、下部杆を介して舞台幕の下部を吊下げる複数の下部吊り手段と、下部吊り手段の舞台幕の下端部寄りに設けた外れ止め用ウエイトと、舞台の上方の天井に設けて上記の各上部吊り手段並びに各下部吊り手段を上下方向および横方向に移動可能に吊下げ支持する支持部材と、各上部吊り手段並びに各下部吊り手段を巻き上げ・巻き戻しでき、且つ舞台幕の上昇時に、各下部吊り手段を巻き上げた後に各上部吊り手段を巻き上げ舞台幕を二つ折りにして上昇させる駆動装置とを備え、さらに、上記した各上部吊り手段を吊下げ支持する各支持部材と、各下部吊り手段を吊下げ支持する各支持部材との配置高さ位置を、同一の高さ位置またはほぼ同じ位の高さ位置に設けた構成を特徴とする舞台幕折上げ昇降装置。
【発明の詳細な説明】
【技術分野】
【０００１】
本発明は、劇場等の舞台に設けて舞台幕を昇降させる舞台幕折上げ昇降装置に関する。
【背景技術】
【０００２】
従来から演劇や踊り等を上演する劇場においては、舞台を開閉する緞帳等の幕や、演劇や踊り等の場面に合わせて舞台背景を変える幕が設置されている。この幕としては、舞台の横に引く引き幕が古くから使用され、また人手や電動昇降機によって舞台の上下方向に昇降させる幕が設置されている。さらに下記に示す特許文献１に記載のような幕収納構造も提案されている。
【０００３】
ところで、舞台の上方を昇降させる幕の設置を予定している劇場等では、上げた幕が観客席から見えないようにするために、舞台上に幕の下端部を下ろした状態の時の幕の上端部と、天井との間の空間の高さを、幕の高さと同一以上にした劇場等を建設する必要があり、建設費が高くなってしまうといった問題があった。
【０００４】
また、天井の高くない既設の劇場等では、上記のような上下方向に昇降させる幕を設置することが困難であったため、従来からある引き幕を設置して、舞台の背景を変えたり、舞台の開閉を行なっている。しかし、引き幕の場合は、舞台の横に幕を引いて行かねばならず、舞台背景の変更も上演中の舞台の進行上、制約があった。
【０００５】
また、下記に示す特許文献１に記載のような幕収納構造は、幕に巻き皺や折り皺がつくのを回避することを目的とした構成のものであり、この文献の図２等には幕を二つ折りして引き上げる構成が記載されている。
【０００６】
しかしながら、幕の上端部を引き上げる牽引体を支持する回転体の設置位置と、幕の下端部を引き上げる牽引体を支持する回転体の設置位置とは、上下に大きく離れた位置に設けられている。そのため、幕を二つ折りにして引き上げる場合、幕の上下幅の半分に二つ折りすることができず、引き上げ前の幕の上端部から天井までの隙間を、幕の上下幅の半分より大きく確保する必要があった。そして、この幕収納構造を設置する劇場においても、ある程度の高い天井が要求され、既設の天井の低い劇場への設置には問題があった。
【０００７】
さらに、この幕収納構造では、幕の上下端部にバトン(杆)を設けているとはいえ、幕の昇降時に幕が揺れた場合や、幕が下がり過ぎて下端部のバトンが舞台に着いたりした場合に、牽引体のテンションが緩んで回転体から外れる懸念があった。
【０００８】
【特許文献１】特開２００３−２３６２６３号公報
【特許文献２】特開平１１−２４４５４６号公報
【発明の開示】
【発明が解決しようとする課題】
【０００９】
本発明は上記のような点に鑑みて開発されたものであり、その目的とする処は、上記のような問題を解決し、高い天井の舞台空間を必要とすることなく、天井の低い舞台に対しても、上昇させた舞台幕を客席から目障りになることなく舞台の上方空間に収納することができ、かつ、舞台幕を二つ折りするための吊り手段の昇降時に吊り手段が滑車等から外れるといった不具合を生じることのないようにした舞台幕折上げ昇降装置を提供することにある。
【課題を解決するための手段】
【００１０】
上記の目的を有効に達成するために本発明は、折畳み自在な舞台幕と、舞台幕の上端部に沿って設けた上部杆と、舞台幕の下端部に沿って設けた下部杆と、上部杆を介して舞台幕の上部を吊下げる複数の上部吊り手段と、下部杆を介して舞台幕の下部を吊下げる複数の下部吊り手段と、下部吊り手段の舞台幕の下端部寄りに設けた外れ止め用ウエイトと、舞台の上方の天井に設けて上記の各上部吊り手段並びに各下部吊り手段を上下方向および横方向に移動可能に吊下げ支持する支持部材と、各上部吊り手段並びに各下部吊り手段を巻き上げ・巻き戻しでき、且つ舞台幕の上昇時に、各下部吊り手段を巻き上げた後に各上部吊り手段を巻き上げ舞台幕を二つ折りにして上昇させる駆動装置とを備え、さらに、上記した各上部吊り手段を吊下げ支持する各支持部材と、各下部吊り手段を吊下げ支持する各支持部材との配置高さ位置を、同一の高さ位置またはほぼ同じ位の高さ位置に設けた構成を特徴とする舞台幕折上げ昇降装置である。
【発明の効果】
【００１１】
上記の構成からなる本発明の舞台幕折上げ昇降装置によれば、舞台幕を上げる場合に、昇降装置を駆動させて、先に各下部吊り手段を巻き上げ、舞台幕が2等分位に二つ折れ状態になった時に、各上部吊り手段も各下部吊り手段とともに巻き上げて、舞台幕を二つ折りして舞台の上方の所定箇所まで上げることができ、天井の低い劇場等でも、客席から目障りになることなく舞台幕を舞台の上方空間に収納することができる。
【００１２】
また、舞台幕を吊下げる各上部吊り手段の支持部材と、各下部吊り手段の支持部材との天井に対する取り付け位置が、同一の高さ位置またはほぼ同じ位の高さ位置であるので、舞台幕を２等分またはほぼ２等分にして折畳んで天井寄りの上部空間に引き上げることができ、舞台幕の上下幅の半分または略半分位の上部空間があればよい。そのため、既設の天井の低い劇場等にも直ぐに設置して使用することができる。また、新しく劇場等を建設する場合にも、天井の低い劇場等を建設することにより、舞台上を昇降する舞台幕を設置することができ、劇場等の建設コストを低減することが可能になる。
【発明を実施するための最良の形態】
【００１３】
以下、本発明を実施するための最良の形態を図に基いて説明する。
図１〜図７は本発明にかかる舞台幕折上げ昇降装置に関する図であり、この舞台幕折上げ昇降装置１は、舞台幕２、上部杆３、下部杆４、上部吊り手段５、下部吊り手段６、外れ止め用ウエイト７、支持部材８、並びに駆動装置９等によって構成されるものである。
【００１４】
舞台幕２は、観客席から見て舞台正面全体を覆う大きさの折畳み自在な四角形の幕であって、舞台の背景用の幕であり、勿論、舞台を開閉する幕や緞帳等であってもよい。この舞台幕２の上端部２ａには、上部杆３を舞台幕２の上端に沿わせて配し、複数のチチヒモ（図示省略）で適宜間隔を以って上部杆３に舞台幕２を強固に取り付けてある。上記の上部杆３は、この例では鋼管が使用されているが、その他の金属や木や硬質樹脂等のパイプや棒であってもよい。
【００１５】
また、舞台幕２の下端部２ｂには、舞台幕２の裾を下端に沿って上側に少し屈曲し、筒状に縫製して下部筒部１０が形成してある。この下部筒部１０には、上記の上部杆３と同様の下部杆４が挿入される。さらに、下部筒部１０の所定箇所、すなわち、下部吊り手段６を下部杆３に設ける下部筒部１０の複数箇所には、下部杆４が露出するように下部筒部１０の後ろ側を数ｃｍ乃至１０ｃｍ位の幅の正方形または長方形に切り欠いた開口部１１を形成してある。
【００１６】
この下部筒部１０には上記したように下部杆４が挿入されるが、その際に、各開口部１１の下部杆４の露出する部分には、フック１２を備えたワイヤー吊り丸管１３が下部杆４に回転自在に設けられ、かつ、ワイヤー吊り丸管１３の両側に丸管固定リング１４がボルト（図示省略）で下部杆４に固定して設けられる。
【００１７】
上記の下部筒部１０には下部杆４が設けられ、この下部杆４の両端部には幕張り用フック１５を備えたエンドキャップ１６が被せてある。舞台幕２の皺は、舞台幕２の下部両端に設けたチチヒモ（図示省略）を引っ張って上記の幕張り用フック１５に結びつけることにより、延ばすことができる。
【００１８】
なお、上部杆３並びに下部杆４は、上記でも述べたが軸棒であってもよく、また材質も特に限定されるものではなく、昇降させる舞台幕２に皺がよることなく、全体を均一に昇降させることができれば如何なる材質であってもよい。
【００１９】
舞台幕２の上端部２ａは上部吊り手段５によって、また舞台幕２の下端部２ｂは下部吊り手段６によって、それぞれ支持部材８を介して天井に吊り下げられている。
【００２０】
上部吊り手段５としては、この例ではワイヤーロープ５ａと止め具（図示省略）が使用されている。勿論、上部吊り手段５は、繊維素材のロープやチエーン等であってもよい。
【００２１】
また、下部吊り手段６は、ワイヤーロープ６ａと、ワイヤークリップ６ｂと、カラビナフック６ｃからなる。さらに、上記のワイヤーロープ６ａには、下端部寄りの箇所に、支持部材８に対するワイヤーロープ６ａの外れを防止する外れ止め用ウエイト７が設けてある。なお、下部吊り手段６にも索条としてワイヤーロープ６ａが使用されているが、繊維素材のロープやチエーン等であってもよい。
【００２２】
また、舞台の上方の天井の箇所には、上記の各ワイヤーロープ５ａ、６ａを上下方向および水平方向に移動可能に吊下げ支持する支持部材の一例である滑車８ａ、８ｂが、回転自在に支持杆１７を介して設けてある。
【００２３】
各ワイヤーロープ５ａの滑車８ａと、各ワイヤーロープ６ａの滑車８ｂとの配置高さ位置は、同一の高さ位置（またはほぼ同じ位の高さ位置）であって、所定間隔を以って対向する位置に設けてある。また、駆動装置９側の上方の他の支持部材の一例である親滑車８ｃ、８ｄは、水平方向に少し位置をずらして設けてある。
【００２４】
一方、舞台幕２の上端部２ａ並びに下端部２ｂを吊下げる上記の各ワイヤーロープ５ａ、６ａの他端部は、滑車８ａおよび８ｃ、並びに滑車８ｂおよび８ｄを介して舞台の側部に設けた駆動装置９にそれぞれ係止してある。
【００２５】
この駆動装置９は、舞台幕２の上端部２ａを吊下げる各ワイヤーロープ５ａを支持する案内滑車１８と、この案内滑車１８を介して吊り合うように設けた１個のカウンターウエイト１９と、舞台幕２の下端部２ｂを吊下げる各ワイヤーロープ６ａを巻取り・繰り出しできるリール２０と、リール２０を減速機構２１を介して回転させるモータ２２と、上記のモータ２２を駆動制御する給電制御装置(図示省略)と、上記の案内滑車１８やリール２０や減速機構２１やモータ２２等を設置する支持枠体２３とからなる。
【００２６】
舞台幕２の上端部２ａを吊下げる各ワイヤーロープ５ａは、駆動装置９に設けた上記したカウンターウエイト１９と案内滑車１８を介して吊り合うように連結されていて、手動操作によって舞台幕２の上端部２ａを昇降させることができる。
【００２７】
一方、舞台幕２の下端部２ｂを吊下げる各ワイヤーロープ６ａは、上記した各滑車８ｂ、８ｄを介して駆動装置９に導かれ、上記のリール２０に端部を係止して巻取り・繰り出しできるようにしてある。
【００２８】
また、舞台の上方には検出器であるリミットスイッチ等（図示省略）が所定箇所に設けてあり、舞台幕２の上端部２ａ並びに下端部２ｂを昇降させる各ワイヤーロープ６ａの作動は、作動時の検出器の検出信号により給電制御装置等を介して制御される。
【００２９】
次に上記のような構成からなる本発明にかかる舞台幕折上げ昇降装置１によって、舞台幕２を昇降させる場合について、その一例を以下に説明する。
【００３０】
先ず降下した状態（観客席から見て舞台上方の全体面を覆った状態）にある舞台幕２を、幕を上げる所謂天井寄りの上部空間まで上昇させる場合、給電制御装置によってモータ２２を駆動させ、減速機構２１を介してリール２０を回転させ、舞台幕２の下端部２ｂを吊下げる各ワイヤーロープ６ａをリール２０に巻き取って、舞台幕２を屈曲させながら二つ折れにして舞台幕２の下端部２ｂだけを先に上昇させていく。
【００３１】
そして舞台幕２の下端部２ｂが舞台幕２の上端部２ａの位置まで上昇した時に、上記した所定箇所に設けたリミットスイッチが作動し、給電制御装置を介してモータ２２等の駆動を停止させて、舞台幕２の下端部２ｂは上昇を一旦停止する。
【００３２】
次に手動により舞台幕２の上端部２ａを吊下げる各ワイヤーロープ５ａを、カンターウエイト１９に補助させて引き下げ、上記の舞台幕２の上端部２ａを天井側に設けた各滑車８ａの傍まで上昇させ、各ワイヤーロープ５ａを引くのを止める。
【００３３】
この手動操作による舞台幕２の上端部２ａの上昇と同時に、舞台幕２の下端部２ｂも給電制御装置によりモータ２２等を駆動させて上昇させる。そして、舞台幕２は、２等分またはほぼ２等分した二つ折りのＵ字状の状態で、上記した各滑車８ａ、８ｂの傍まで上昇し停止する。
【００３４】
このようにして舞台幕２は、上下幅方向に２等分またはほぼ２等分した二つ折りのＵ字状になって天井側の空間に引き上げられる。
【００３５】
そのため、舞台幕２の下端部２ｂが舞台に着くか舞台の傍まで下ろした状態における舞台幕２の上端部２ａから、天井側の支持杆１７近傍までの空間高さは、舞台幕２の半分位の高さでよいことになる。
【００３６】
そのため、本発明にかかる舞台幕折上げ昇降装置１は、既設の天井の低い劇場等にも設置することができ、また、劇場等を新設する場合も天井の低い構造でもよく、建設費を低減することができる。
【００３７】
一方、上記のようにＵ字状にして天井側の空間まで引き上げた状態にある舞台幕２を下ろす場合は、例えば手動により各ワイヤーロープ５ａを操作して舞台幕２の上端部２ａを所定の高さ位置まで降下させて停止する。この所定位置まで手動で舞台幕２の上端部２ａを降下させたら、電動で舞台幕２の下端部２ｂを吊下げる各ワイヤーロープ６ａを降下させて、舞台の傍まで或いは舞台に着くまで上記の下端部２ｂを降下させて停止させる。
【００３８】
このようにすることにより舞台幕２は、簡単にかつ迅速に所定位置に降下させて、舞台の背景幕として、或いは舞台を閉じる幕として使用することができる。
【００３９】
また、上記した舞台幕２の下端部２ｂを上昇させた時に、下部吊り手段６のカラビナフック６ｃにフック１２を介して係止しているワイヤー吊り丸管１３は、下部杆４に対してフック１２は上を向く方向に少し回る。そのため、舞台幕２に悪影響を及ぼすことなく円滑に舞台幕２を下端部２ｂから上昇させることができる。
【００４０】
なお、本発明にかかる舞台幕折上げ昇降装置１においては、上部吊り手段５と下部吊り手段６をともに自動で昇降させるようにして、舞台幕２の二つ折り上げ、舞台幕２の降下を行なうように給電制御装置および駆動装置を設計変更するも自由である。
【図面の簡単な説明】
【００４１】
【図１】本発明にかかる舞台幕折上げ昇降装置の簡略した説明図である。
【図２】本発明にかかる舞台幕を二つ折りして上げる動作を示す説明図である。
【図３】本発明かかる舞台幕の下端部と下部吊り手段を示す側方から見た説明図である。
【図４】本発明かかる下部杆の端部を示す説明図である。
【図５】本発明かかる舞台幕の下端部と下部吊り手段を示す正面から見た説明図である。
【図６】本発明かかる舞台幕を下げた状態を示す簡略図である。
【図７】本発明かかる舞台幕を上げる途中の状態を示す簡略図である。本発明のである。
【符号の説明】
【００４２】
１      舞台幕折上げ昇降装置
２      舞台幕
２ａ    上端部
２ｂ    下端部
３      上部杆
４      下部杆
５      上部吊り手段
６      下部吊り手段
７      外れ止め用ウエイト
８      支持部材
９      駆動装置
【図１】
2006149717.tif 000003
【図２】
2006149717.tif 000004
【図３】
2006149717.tif 000005
【図４】
2006149717.tif 000006
【図５】
2006149717.tif 000007
【図６】
2006149717.tif 000008
【図７】
2006149717.tif 000009